(57)【要約】【課題】各種無線機器に搭載して使用される、複数の共振周波数特性を有したアンテナに関し、二つの独立したアンテナエレメント間に実装されたインピーダンス素子の配置位置を移動させることなく、高周波数側の周波数を容易に調節できるものを提供する。【解決手段】給電側となる第１アンテナエメレント１１と第２アンテナエレメント２とがインピーダンス素子５で接続されて構成されたアンテナにおいて、第１アンテナエレメント１１に、端部が同エレメント１１の開放端となる調整部１１Ｂを一体に設けた形状とした。これにより、インピーダンス素子５の配置位置を移動させることなく、調整部１１Ｂを調整して高周波数側の周波数を容易に調節できるアンテナを得ることができる。【選択図】図１
2009171089.tif 000002
【特許請求の範囲】
【請求項１】
給電側となる第１アンテナエレメントおよび第２アンテナエレメントが独立して配されると共に、それら第１アンテナエレメントと第２アンテナエレメントとの間がインピーダンス素子で接続されて構成され、低い周波数側では全体で共振し、高い周波数側では前記インピーダンス素子の作用で前記第２アンテナエレメントが遮断状態となって前記第１アンテナエレメントが共振するアンテナであって、前記第１アンテナエレメントに、端部が前記第１アンテナエレメントの開放端となる長さ調整用の調整部を一体に設け、その調整部への調整をすることにより、前記インピーダンス素子の配置位置を移動させることなく前記高い周波数側での第１アンテナエレメントの共振周波数の調整を可能としたことを特徴とするアンテナ。
【発明の詳細な説明】
【技術分野】
【０００１】
本発明は、各種無線機器に搭載して使用される。複数の共振周波数特性を有したアンテナに関するものである。
【背景技術】
【０００２】
近年、携帯電話に代表される携帯用無線機器の普及は目覚しく、特に小型軽量のものが好まれて、また利便性の向上から複数の周波数に対応可能なアンテナを搭載したものが増加している。
【０００３】
このようなニーズに対し、複数の周波数に対応するアンテナ構成の一事例としては、独立した二つのアンテナエレメントの間をインピーダンス素子で接続して、複数の共振周波数特性を有したアンテナとして動作させる構成が知られており、そのアンテナについて図２を用いて説明する。
【０００４】
図２は従来のアンテナの模式図であり、同図は、図示しないフレキシブル配線基板上に構成されたエレメントのみを模式的に示したものである。そして、従来のアンテナのエレメント構成は、同図に示したように、矩形状の第１アンテナエレメント１および、その右横に並べて形成された線状の第２アンテナエレメント２が互いに独立状態で銅箔により形成され、その第１アンテナエレメント１と第２アンテナエレメント２との間がインピーダンス素子５で接続された構成となっている。前記インピーダンス素子５としては、チップコイル素子とチップコンデンサ素子とが一つずつ用いられて、その各々が第１アンテナエメレント１と第２アンテナエレメント２間をそれぞれ接続するいわゆる並列接続状態で配されている。
【０００５】
そして、前記構成の従来のアンテナは、矩形形状の第１アンテナエレメント１の左下の角部位置に給電点が設定されて使用される。
【０００６】
その動作としては、低周波数側となるＧＳＭ帯域では、第１アンテナエレメント１から第２アンテナエレメント２に亘る全体の電気的長さで共振して前記対応する電波の送受信が行われる。一方、高周波数側となるＤＣＳ帯域などでは、インピーダンス素子５の作用つまり並列接続されたチップコイル素子とチップコンデンサ素子とで構成されるフィルタ回路で第２アンテナエレメント２側が遮断された状態に等価となり、これによって第１アンテナエレメント１が共振して前記対応する電波の送受信が行われるものであった。
【０００７】
なお、この出願の発明に関連する先行技術文献情報としては、例えば、特許文献１、特許文献２が知られている。
【特許文献１】特開平５−１２１９２４号公報
【特許文献２】特開２００７−２７４６６５号公報
【発明の開示】
【発明が解決しようとする課題】
【０００８】
しかしながら、前記従来のアンテナにおいては、二つのアンテナエレメント１と２の間にインピーダンス素子５を接続して、複数の共振周波数特性を有したものに構成しており、低周波数側の周波数調整は、第２アンテナエレメント２の物理的長さや幅などを代えて対応できるため容易であったが、高周波数側の周波数調整をする際には、第１アンテナエレメント１の外形を必要な電気長に応じた物理的長さのものに変えなければならず、それに伴ってインピーダンス素子５の配置位置を移動させなければならないという課題があった。
【０００９】
そして、アンテナ特性は、無線機器のメイン基板の配線構成や、それに実装される部品の実装位置などにも影響を受けるため、それらの配設状態などが変化したときにアンテナエレメントの長さ調整が必要となることも多く、例えば各エレメント１、２をフレキシブル配線基板上に形成した従来のものでは、特にインピーダンス素子５の実装位置の変更が必要となる場合に、当該フレキシブル配線基板を製造するために用いるマスキングの大幅な変更、さらにインピーダンス素子５の実装を行う実装機の設定変更などをしなければならず、多大な工数や費用がかかってしまうことがあった。
【００１０】
本発明は、このような従来の課題を解決するものであり、二つの独立したアンテナエレメント間に実装されたインピーダンス素子の配置位置を移動させることなく、高周波数側の周波数を調節することができるアンテナを提供することを目的とする。
【課題を解決するための手段】
【００１１】
前記目的を達成するために本発明は、以下の構成を有するものである。
【００１２】
本発明の請求項１に記載の発明は、給電側となる第１アンテナエレメントおよび第２アンテナエレメントが独立して配されると共に、それら第１アンテナエレメントと第２アンテナエレメントとの間がインピーダンス素子で接続されて構成され、低い周波数側では全体で共振し、高い周波数側では前記インピーダンス素子の作用で前記第２アンテナエレメントが遮断状態となって前記第１アンテナエレメントが共振するアンテナであって、前記第１アンテナエレメントに、端部が前記第１アンテナエレメントの開放端となる長さ調整用の調整部を一体に設け、その調整部への調整をすることにより、前記インピーダンス素子の配置位置を移動させることなく前記高い周波数側での第１アンテナエレメントの共振周波数の調整を可能としたことを特徴とするアンテナとしたものである。当該構成のものであれば、二つの独立したアンテナエレメント間に実装されたインピーダンス素子の配置位置を変えずに、前記調整部への調整をするのみで高周波数側の周波数を容易に調節できるものが得られ、その高周波数側の周波数の調節前後でインピーダンス素子の実装される配置位置は変わらないため、インピーダンス素子を実装する実装機の設定変更などが不要となり、余分な工数増加などをなくせるという作用を有する。
【発明の効果】
【００１３】
以上のように本発明によれば、二つの独立したアンテナエレメント間に実装されたインピーダンス素子の配置位置を移動させることなく、高周波数側の周波数を容易に調節できるアンテナを実現することができるという有利な効果が得られる。
【発明を実施するための最良の形態】
【００１４】
本発明の実施の形態について、図１を用いて以下に説明する。なお、本発明によるアンテナも、図示しないフレキシブル配線基板上に構成されていることは従来と同じであり、また、その他の構成部分においても、従来の技術の項のものと同一構成部分には同一符号を付してその詳細説明は省略する。
【００１５】
（実施の形態）
図１は本発明の一実施の形態によるアンテナの模式図であり、同図に示すように、そのエレメント構成としては、矩形部分１１Ａを有する第１アンテナエレメント１１と、その右横に並べて形成された線状の第２アンテナエレメント２とが、互いに独立状態で銅箔により形成され、その第１アンテナエレメント１１の矩形部分１１Ａの右側短辺部と第２アンテナエレメント２との間がインピーダンス素子５で接続されて構成されている。なお、そのインピーダンス素子５としては、従来同様に一つずつのチップコイル素子とチップコンデンサ素子を用いており、それらは、第１アンテナエレメント１１と第２アンテナエレメント２間に並列接続状態で実装されている。
【００１６】
そして、機器への搭載状態で、第１アンテナエレメント１１の矩形部分１１Ａにおける左下の角部位置に給電点が設定されて使用されることも従来と同じである。
【００１７】
ここで、当該実施の形態によるアンテナは、従来のものに対して第１アンテナエレメント１１の形状が異なり、第１アンテナエレメント１１を、前記矩形部分１１Ａに加えて、その給電点に対し逆側となる右側の短辺部位置に、細幅で右方に直線的に伸びる線状の調整部１１Ｂを一体に備えた形状としている。その調整部１１Ｂは、給電点から遠い側の端部位置が第１アンテナエレメント１１の開放端となるように形成している。なお、同図に示したように、調整部１１Ｂを矩形部分１１Ａにおける短辺幅内で納まる形状で形成すると、エレメント配置面積の増加なども抑えられて細幅形状のアンテナに構成でき好ましい。
【００１８】
以上のように当該実施の形態によるアンテナは構成され、その動作は、低周波数側となるＧＳＭ帯域では、第１アンテナエレメント１１から第２アンテナエレメント２に亘る全体の電気的長さで共振して前記対応する電波の送受信が行われ、高周波数側となるＤＣＳ帯域などでは、インピーダンス素子５の作用で第２アンテナエレメント２側が遮断された状態に等価となって第１アンテナエレメント１１が共振して前記対応する電波の送受信が行われる。
【００１９】
そして、当該実施の形態によるアンテナは、低周波数側の周波数調整時に、第２アンテナエレメント２の物理的長さや幅などを代えることによって、容易に対応できることは従来同様である。
【００２０】
さらに、当該アンテナでは、第１アンテナエレメント１１として、端部が同エレメント１１の開放端となる調整部１１Ｂを一体に備えた形状としているため、高周波数側の周波数調整をする際にも、調整部１１Ｂの長さなどを代えることによって容易に対応することができる。つまり、同図にも示したように、前記開放端としてなる調整部１１Ｂの端部位置を、給電点から見て各エレメント１１、２間に実装されたインピーダンス素子５の配置位置よりも遠い位置に有するものとしているため、前記高周波数側の周波数調整をする際に、矩形部分１１Ａの形状そのものを変えることなく、調整部１１Ｂの長さなどを代えてその周波数の調節をすることができる。このために、矩形部分１１Ａの右側短辺に一端が接続されるインピーダンス素子５の配置位置が変わることもなく、インピーダンス素子５の実装を行う実装機の設定変更なども不要で、またフレキシブル配線基板を製造するために用いるマスキングも部分的な変更で済むため、多大な工数や費用がかからず容易に対応することができる。なお、その変更に要する期間も、従来のものの場合よりも短縮化できるので、機器側での各種部品の配設位置等の変更によってアンテナ特性の調節が急に必要となった場合にも、低周波数側および高周波数側の両方の調節が容易に行えて対応するアンテナを迅速に提供することができる。
【００２１】
なお、第１アンテナエレメント１１や第２アンテナエレメント２、ならびに調整部１１Ｂの具体形状は、前述した形状に限定されることはないが、インピーダンス素子５の配置位置を移動させることなく、高周波数側の周波数を調節できるようにするには、調整部１１Ｂの端部が第１アンテナエレメント１１の開放端となる形状で設定しておくことが重要である。
【００２２】
また、以上の説明は、各エレメント１１、２などがフレキシブル配線基板上に形成されたものを例として説明したが、フレキシブル配線基板上に形成されたもののみに限らず、ガラスエポキシ樹脂基板、紙フェノール樹脂基板などの上面に形成されていても良い。
【００２３】
さらには、エレメント１１、２も銅箔製以外のもので形成されていてもよい。
【産業上の利用可能性】
【００２４】
本発明によるアンテナは、二つの独立したアンテナエレメント間に実装されたインピーダンス素子の配置位置を移動させることなく、高周波数側の周波数を容易に調節できるものが得られるという有利な効果を有し、複数の共振周波数特性を有したアンテナが搭載される各種無線機器等に有用である。
【図面の簡単な説明】
【００２５】
【図１】本発明の一実施の形態によるアンテナの模式図
【図２】従来のアンテナの模式図
【符号の説明】
【００２６】
２  第２アンテナエレメント
５  インピーダンス素子
１１  第１アンテナエレメント
１１Ａ  矩形部分
１１Ｂ  調整部
【図１】
2009171089.tif 000003
【図２】
2009171089.tif 000004